(57)【特許請求の範囲】
【請求項１】
柔軟な素材の発泡体もしくは内部に気体を充填可能な被膜によって形成された陳列及び使用のための載置部を有する被載置物の載置台であって、前記被載置物の展示中または使用中に前記被載置物の転倒あるいは滑動を防止するための固定部又は滑動防止部を設けた構成であり、被載置物の搬送時や被載置物の保管時には押しつぶすか空気を抜くことで体積を減少できると同時に緩衝材の役割を果たし、前記被載置物の使用時や陳列時には圧力から解放するか空気を注入することで体積を増して前記被載置物の展示及び使用のための載置台としての本来の形状及び機能を復帰可能とした物品載置台であって、該物品載置台と被載置物とを共に押しつぶすか空気を抜いて包装した物品載置台の包装体。
【請求項２】
前記被載置物が飲料水入り容器であり、飲料用液体容器を包むように配された、飲料水入り容器と共に押しつぶすか空気を抜いて包装した請求項１に記載した物品載置台の包装体。
【発明の詳細な説明】
【０００１】
【発明の属する技術分野】
本発明は物品載置台及び載置対象物と共に梱包した物品載置台の梱包体に関するものである。
【０００２】
【従来の技術】
従来、様々な物品の載置台としては硬質のものが使われ、柔軟で変形可能な素材は使われてこなかった。
又、販売促進用展示の載置台は特定のものに対する載置台であることが多く、販売後無駄になることから販売対象物品の収納ケースが展示用載置台を兼ねる構造のものが考案、発明されてきた。
【０００３】
【特許文献】
特開２００１−２１３２
特開２００１−２１３２はトラベルケースと展示スタンドの組み合わせにかかるものであって、品物を収容するキャビティーを有するベースと、ふたと、前記ふたを前記ベースから開け放すことができる手段と、を有し、前記ふたは閉鎖位置と展示位置にあるとき、トラベルケースは中に含まれる物品の展示スタンドを提供することを特徴とする品物を収納及び展示するためのトラベルケースと展示スタンドの組み合わせ、であって、移送中あるいは格納中に体積を減じることはできず、耐衝撃性についても言及されていない。
【０００４】
【発明が解決しようとする課題】
販売促進用展示用として使用でき、搬送中や販売促進用展示物として使用していない状体での陳列中には体積を減じてかさばることがなく緩衝材としての役割を果たし、日常に於ける載置台としての使用時には機能的で安定しており、見た目にも安定感と高級感があり、安価に製造できる載置台を提供すること。
【０００５】
【課題を解決するための手段】
柔軟な素材の発泡体もしくは内部に気体を充填可能な被膜によって形成された陳列及び使用のための載置部を有する被載置物の載置台であって、前記被載置物の展示中または使用中に前記被載置物の転倒あるいは滑動を防止するための固定部又は滑動防止部を設けた構成であり、被載置物の搬送時や被載置物の保管時には押しつぶすか空気を抜くことで体積を減少できると同時に緩衝材の役割を果たし、前記被載置物の使用時や陳列時には圧力から解放するか空気を注入することで体積を増して前記被載置物の展示及び使用のための載置台としての本来の形状及び機能を復帰可能とした物品載置台であって、該物品載置台と被載置物とを共に押しつぶすか空気を抜いて包装した物品載置台の包装体を供する。
【０００６】
前記被載置物が飲料水入り容器であり、飲料用液体容器を包むように配された、飲料水入り容器と共に押しつぶすか空気を抜いて包装した請求項１に記載した物品載置台の包装体を供する。
【０００７】
【発明の実施の形態】
発明の実施の形態について図を用いて説明する。
図１は実施例１の斜視図であって、載置部１と載置部１上に立設された固定部２である筒状体２１の中に載置物３を載置した状態を示している。
【０００８】
図２は実施例１の一部断面を含む斜視図である。載置台の全体は柔軟な素材の発泡体４よって形成され、載置面１１の周縁に固定部２である筒状体２１を立設した構成であり、搬送時や保管時には押しつぶすか空気を抜くことで体積を減少できると同時に緩衝材の役割を果たし、使用時や陳列時には圧力から解放することで体積を増して本来の形状に復帰して、載置台としての機能を発揮する。
【０００９】
図３は実施例２であるカミソリ用物品載置台の一部断面を有する斜視図である。前記柔軟な素材の発泡体４が合成樹脂製の連続気泡発泡体４１であって、前記連続気泡発泡体４１の周囲に否透水性の被膜４２を形成し、当該被膜４２の一部を切り欠いて被膜の欠損部４２１を形成し、押しつぶす際及び形状の復帰に当たっては当該被膜の欠損部４２１より空気を流出入させ、使用中は前記被膜４２が水のしみ込むことを防げるようにしたものである。本実施例はカミソリ用物品載置台であって、水がしみこむことを防ぐ目的で前記被膜４２を形成しているが、他の用途用であっても表面の汚れを防いだり、造形的意味合いにおいて高級感を持たせることができるなど、当該被膜４２の形成は有効である。
【００１０】
図４は実施例２であるカミソリ用物品載置台の裏面５を示す斜視図であって、図３を裏返したものである。前記被膜の欠損部４２１を被うように当該被膜の欠損部４２１を塞ぐための閉鎖手段４２２を配したものである。移送中や保管中は載置台の全体を押しつぶして体積を減少させておき、使用する際に圧力から解放して前記被膜の欠損部被膜の４２１から空気を流入させて載置台全体の形状を復帰させ、後に閉鎖手段４２２によって前記被膜の欠損部４２１を塞ぐことで、水がしみこむことが防げ、形状も安定する。
【００１１】
図５は実施例３の裏面５を示す斜視図である。図Ａは載置台の裏面５に設置手段６である吸盤６１を配したものであって、実施上の具体策として吸着や粘着あるいは係止手段等の設置手段を有する物品載置台を提示するものである。本実施例はカミソリ用物品載置台であって、タイル製の棚など滑りやすい浴室内にあって、位置の安定を確保するために吸盤６１を設けたものである。
【００１２】
設置手段６を吸盤６１とした場合、タイルの床などにおける滑り止めの他、壁に吸着して設置することも可能である。また、図Ｂのように壁などに設けた釘状のものに係止して用いるために係止部６２を配したもの、Ｃ図のように壁などに張り付けて用いるための粘着手段６３を配したもののほか、磁力によってはりつける等の設置手段６が有効である。
【００１３】
図６は実施例３に用いる吸盤６１の一例を示す斜視図である。実施上の具体策として吸盤６１の背面に粘着面６１１を形成し、図４に於ける閉鎖手段４２２を兼ねる構成である吸盤６１を配してある物品載置台及び載置対象物と共に包装した物品載置台の包装体を提示するものである。吸盤６１は背の低いラッパ状であって、吸着面６１２の背面の周縁に粘着面６１１を形成する。前記背面の中央のから周縁に向かって山状の補強部６１３を形成することが望ましいが一般的な吸盤の形状であっても効果は発揮できる。
【００１４】
図７は実施例４の一部断面を含む斜視図であり、内部に気体を充填可能な被膜７１によって形成された気体袋７による物品載置台の例である。気体の注入口７２と当該注入口の閉鎖手段７３を有し、気体袋７内部の気体を排出することで体積を減じ、気体を注入することで体積を増すと当時に本来の載置台としての形状及び機能を復帰させる。本実施例では載置部１及び固定部２の総てを気体袋７によって形成しているが、載置部１のみを平板状のものに置き換えることや、固定部２を載置物を係止するための鉤状体に置き換えるなど、目的により、様々に変形可能である。
【００１５】
図８は実施例５の斜視図であり、前記載置部１に刃の保護部１２を設けた構成であるカミソリ用物品載置台の例である。載置部１にカミソリ３１を載せ、カミソリの首３１２を固定部２によって挟持させる。載置台の全体が柔軟素材によって形成されているため、誤ってカミソリの刃３１１をぶつけても刃を痛める危険性が少ない。載置部１が柔軟であって、手の動きに会わせ変形することから、カミソリの柄３１３を持つ時に手に取りやすい。
【００１６】
図９は実施例６の斜視図であり、前記載置部１に多数の突起物２０１を設けて滑動防止部２０とし、刃の保護部１２を設けた構成であるカミソリ用物品載置台の例である。カミソリの柄３１３が突起物２０１の中に埋もれるように置かれて滑動することを防止するものであるが、当該突起物２０１は発泡体４や気体を充填可能な被膜で構成されるため、カミソリの柄３１３を手に取る場合、突起物が変形し、手に取りやすい。
【００１７】
図１０は実施例７の一部断面を含む斜視図であり、載置台の全体を気体を充填可能な被膜７１で構成したカミソリ用物品載置台の例である。気体注入口７２や閉鎖手段７３を有する点以外、固定部２や刃の保護部１２の構成等、実施例５と同様であり、実施例６とも同じ形状に製造可能である。使用中の機能も前記２の実施例と大きく変わるものではない。
【００１８】
図１１は実施例５で示したカミソリ用物品載置台にカミソリ３１を載せた状体のまま、物品載置台を圧縮して体積を減じ、圧縮包装手段８１内に閉じこめた包装体８の斜視図である。圧縮されていることからかさばらずに移送陳列でき、載置台が柔軟素材により形成されていることから圧縮されていても緩衝材の役割を果たし、乱雑に扱って載置物を傷つけることがない。展示時や使用時には圧縮から解放して、つまり、圧縮包装手段が真空包装であった場合には通気することで、圧縮から解放し形状を復元させる。物品載置台が気体を充填可能な被膜７１で構成されたものであっても内部の気体を抜くことで同様の効果が得られる。この場合には圧縮の必要がない。
【００１９】
図１２は実施例８の斜視図であり、前記載置部１に固定部２として歯ブラシ３２の差し込み穴３２２を設けた構成である歯ブラシ用物品載置台の例である。ここでは実施上の具体策として、前記固定部２を載置部１に設けた歯ブラシの柄３２１を立てて載置するための差し込み穴３２２とし、差し込み穴３２２の底部に水切り手段３２３を設けた構成である請求項１と２と３のいずれかに記載した歯ブラシ用物品載置台を提示する。前記差し込み穴３２２は、歯ブラシの柄３２１を中空にし載置部１に突起物を形成して、前記中空部と突起物とを嵌合させて載置することに置きかえ可能なものとする。
【００２０】
家庭内における複数の歯ブラシの保管方法として、載置台を設けて前記歯ブラシを立てて保管することが考えられるが、使用の経過と共に載置台に汚れが集積し易い。載置台は歯ブラシを立てるという機能上の制約から凹凸のある形状を採らざるを得ず、面倒な掃除を必要としていた。柔軟素材による発泡体もしくは内部に気体を充填可能な被膜によって形成された気体袋によって物品載置台を形成した場合には費用が安く済むため、使い捨てにでき衛生的と言える。
【００２１】
図１３は実施例９の斜視図であり、電動歯ブラシセットに付随して載置台を設けた例である。電動歯ブラシセットは少なくとも電力供給部３２４と電力伝達部３２５とモーター部３２６と歯ブラシ３２によって構成され、載置台は電力供給部３２４か電力伝達部３２５の周辺に取り付け可能とする。本実施例では固定部２を載置部１に設けた突起物３２７とし、歯ブラシの柄３２１を中空にして、当該中空部と突起物３２７とを嵌合させ、歯ブラシ３２を立てて載置する。
【００２２】
図１４は実施例８に於ける図１２で示した歯ブラシ用物品載置台と歯ブラシ３２をセットにし、圧縮包装手段８１内に圧縮包装した包装体の斜視図である。載置台ごと交換できることから衛生的に使用できる。移送陳列に場所を取らない。
【００２３】
図１５は実施例１０の斜視図であり、工具用物品載置台の例である。ここでは実施のための具体的方策として、前記固定部２を、前記載置部１に設けた工具３３を立てて載置するための差し込み穴、もしくは、前記載置部１に工具３３を挿入して保管するための溝３３１の拡幅部３３２とし、当該拡幅部３３２は前記溝３３１に工具を立てて載置し易くするために当該溝３３１の一部を拡幅した構成（含む導入用の広口部）である工具用物品載置台を提示する。前記差し込み穴もしくは溝の拡幅部３３２を載置台１に工具３３を立てておくための支持部を設けることに置き換え可能とする。工具３３は扱い易いように立てておくことができ、載置台１が柔軟素材であることから当該溝の拡幅部３３２（含む導入用の広口部）に工具３３を無造作に差し込むことが可能となる。
【００２４】
図１６は実施例１０に於ける図１５で示した工具用物品載置台と工具３３をセットにして圧縮包装手段８１内に圧縮包装した包装体の斜視図である。工具３３は載置台の溝３３１に挿入され、載置台ごと圧縮包装されていることから載置台が緩衝材となり、工具を傷つけることがなく、工具と工具がぶつかって騒音を出すこともない。荷造りも容易となる。
【００２５】
図１７は実施例１１の斜視図であり、化粧品用物品載置台の例である。前記、固定部２もしくは滑動防止部２０を前記載置部１に設けた化粧品容器３４を差し込んでおくための差し込み穴３４１もしくは化粧品容器３４を位置を安定させるための凹凸３４２とする。載置台上に整理して置けることから使い勝手がよくなり、発泡体４を使用することから安い費用でボリューム感を出すことができ、表面の加飾によって高級感を演出しやすい。
【００２６】
図１８は実施例１１に於ける図１７で示した化粧品用物品載置台と化粧品容器３４をセットにして圧縮包装手段８１内に圧縮包装した包装体の斜視図である。化粧品容器３４は載置台ごと圧縮包装されていることから載置台が緩衝材となり、化粧品容器３４を傷つけることがなく、化粧品容器と化粧品容器がぶつかって騒音を出すこともない。荷造りも容易となる。
【００２７】
図１９は実施例１２の斜視図であり、飲料用液体容器用物品載置台の例である。前記固定部２は載置面１１の周縁に立設し、飲料用液体容器を載置した場合に飲料用液体容器を包むように配されている。
【００２８】
図２０は実施例１２に於ける図１９で示した飲料用液体容器用物品載置台に飲料用液体容器３５を載置したまま圧縮包装手段８１によって圧縮包装した包装体の一部断面を含む斜視図である。圧縮包装手段８１を破棄することで、固定部２である筒状体は厚みを増して図１９に示した使用時の形状に復帰する。使用時の形状に復帰した物品載置台は固定部２が発泡体４であるため、断熱効果を発揮して加熱あるいは冷却した飲料用液体の温度が外気に触れて変化することを妨げ、加熱あるいは冷却の効果を持続させる。当該実施例の他、図７に示す内部に気体を充填可能な被膜７１によって形成された気体袋７による物品載置台においても同様の効果が得られる。
【００２９】
【発明の効果】
柔軟な素材の発泡体もしくは内部に気体を充填可能な被膜によって形成され
た陳列及び使用のための載置部を有する被載置物の載置台であって、前記被載置物の展示中または使用中に前記被載置物の転倒あるいは滑動を防止するための固定部又は滑動防止部を設けた構成であり、被載置物の搬送時や被載置物の保管時には押しつぶすか空気を抜くことで体積を減少できると同時に緩衝材の役割を果たし、前記被載置物の使用時や陳列時には圧力から解放するか空気を注入することで体積を増して前記被載置物の展示及び使用のための載置台としての本来の形状及び機能を復帰可能とした物品載置台であって、該物品載置台と被載置物とを共に押しつぶすか空気を抜いて包装した物品載置台の包装体であるため次の効果を奏する。
【００３０】
圧縮して体積を減じることで、搬送中や販売促進用展示物として使用していない状体での陳列中にはかさばらずに、搬送中には緩衝材としての役割を果たし、搬送の効率を高める載置台を安価に提供できる。使用時には体積を増してボリューム感と安定感のある形状に復帰できることから表面の加飾によっては高級感のある載置台が安価に提供できる。
【００３１】
前記被載置物が飲料水入り容器であり、飲料用液体容器を包むように配された、飲料水入り容器と共に押しつぶすか空気を抜いて包装した物品載置台の包装体であるため次の効果を奏する。
【００３２】
載置部及び固定部が断熱作用を有し、加熱あるいは冷却の効果を持続させることのできる飲料用液体容器用物品載置台が提供できる。
【図面の簡単な説明】
【図１】実施例１の斜視図である。
【図２】実施例１の一部断面を含む斜視図である。
【図３】実施例２の一部断面を有する斜視図である。
【図４】実施例２の裏面を示す斜視図である。
【図５】実施例３の裏面５を示す斜視図である。
【図６】実施例３に用いる吸盤６１の一例を示す斜視図である。
【図７】実施例４の一部断面を含む斜視図である。
【図８】実施例５の斜視図である。
【図９】実施例６の斜視図である。
【図１０】実施例７の一部断面を含む斜視図である。
【図１１】物品載置台にカミソリを載せた状体の包装体の斜視図である。
【図１２】実施例８の斜視図である。
【図１３】実施例９の斜視図である。
【図１４】物品載置台と歯ブラシをセットにした包装体の斜視図である。
【図１５】実施例１０の斜視図である。
【図１６】物品載置台と工具をセットにした包装体の斜視図である。
【図１７】実施例１１の斜視図である。
【図１８】物品載置台と化粧品容器をセットした包装体の斜視図である。
【図１９】実施例１２の斜視図である。
【図２０】物品載置台に飲料用液体容器を載置したまま圧縮包装した包装体の一部断面を含む斜視図である。
【符号の説明】
１  載置部
１１  載置面
１２  刃の保護部
２  固定部
２０  滑動防止部
２０１  突起物
２１  筒状体
３  載置物
３１  カミソリ
３１１  カミソリの刃
３１２  カミソリの首
３１３  カミソリの柄
３２  歯ブラシ
３２１  歯ブラシの柄
３２２  差し込み穴
３２３  水切り手段
３２４  電力供給部
３２５  電力伝達部
３２６  モーター部
３２７  突起物
３３  工具
３３１  溝
３３２  溝の拡幅部
３４  化粧品容器
３４１  差し込み穴
３４２  位置を安定させるための凹凸
３５  飲料用液体容器
４  発泡体
４１  連続気泡発泡体
４２  被膜
４２１  被膜の欠損部
４２２  被膜欠損部の閉鎖手段
５  裏面
６  設置手段
６１  吸盤
６１１  粘着面
６１２  吸着面
６１３  補強部
６２  係止部
６３  粘着手段
７  気体袋
７１  気体を充填可能な被膜
７２  気体の注入口
７３  注入口の閉鎖手段
８  包装体
８１  圧縮包装手段
【図１】
0003622026.tif 000002
【図２】
0003622026.tif 000003
【図３】
0003622026.tif 000004
【図４】
0003622026.tif 000005
【図５】
0003622026.tif 000006
【図６】
0003622026.tif 000007
【図７】
0003622026.tif 000008
【図８】
0003622026.tif 000009
【図９】
0003622026.tif 000010
【図１０】
0003622026.tif 000011
【図１１】
0003622026.tif 000012
【図１２】
0003622026.tif 000013
【図１３】
0003622026.tif 000014
【図１４】
0003622026.tif 000015
【図１５】
0003622026.tif 000016
【図１６】
0003622026.tif 000017
【図１７】
0003622026.tif 000018
【図１８】
0003622026.tif 000019
【図１９】
0003622026.tif 000020
【図２０】
0003622026.tif 000021